(57)【要約】【課題】本発明は、視覚障害者誘導用の点字鋲、特にカーペットに孔を穿設して取り付けられる金属性の点字鋲を提供することを課題とする。【解決手段】鋲本体と、該鋲本体に設けられた脚体と、脚体を強制的に嵌入して係止するための抜止体とからなり、抜止体をアイオノマー樹脂で構成することである。【選択図】　図１
2004027806.tif 000002
【特許請求の範囲】
【請求項１】
カーペット等の表面に突出可能に形成された鋲本体と、カーペット等に穿設された孔に挿入された脚体とからなる点字鋲であって、前記脚体には、カーペットの裏面側に設けられ、鋲本体の離脱を防止すべく、脚体に外嵌する筒状の嵌合部と、該嵌合部の固定された板状の抜止本体とからなる抜止体が設けられ、しかも該抜止体はアイオノマー樹脂で構成されるとともに、脚体に強制的に嵌入して係止すべく構成されていることを特徴とする点字鋲。
【発明の詳細な説明】
【０００１】
【発明の属する技術分野】本発明は、視覚障害者誘導用の点字鋲、特にカーペットに孔を穿設して取り付けられる金属性の点字鋲に関するものである。
【０００２】
【従来の技術】
例えば、近年公共の施設、ホテルの床等に設けられたカーペットには視覚障害者誘導用の点字鋲が設けられている。この点字鋲は、カーペットに孔を穿設し、該孔に鋲本体の下面部に設けられた棒状の脚体を挿通し、カーペットの裏面側に設けられた略円形板状で金属性の抜止体を脚体の先端部に螺合して取り付けていた。
【０００３】
しかしながら、点字鋲の設置は、６列毎に複数個を連続して取り付けなければならないために、カーペットを裏返して取り付ける上記点字鋲はその取り付け作業が煩雑であり、作業時間がかかるという欠点があった。
【０００４】
そこで、抜止体をポリプロピレン、ポリカーボネート等の公知の樹脂で円形板状に形成し、脚体の先端を抜止体の孔に強制的に嵌入して取り付ける（鋲本体の上部をハンマー等で殴打することで）方法が考えられた。
【０００５】
【発明が解決しようとする課題】
しかし、上記抜止体をポリカーボネート等の公知の樹脂で構成した場合、その取り付け方法は時間がかからず容易となり、コストの面でも安価になるものの、抜止体を金属で構成した場合に比し、耐久性面（点字鋲は床面に取り付けられているために、通行者による衝撃をうけやすく、長期間の使用にたえるものでなければならない）の面で大きな問題点があった。
【０００６】
しかも、ポリカーボネート等の公知の樹脂は、長期間の使用により磨耗が激しく、耐磨耗性の面でも問題があるとともに、脚対を構成する金属との接着性においても安定性にかけるという欠点があった。
【０００７】
そこで、本発明は、これらの問題を解消し、短時間で正確に点字鋲をカーペットに取り付けできるとともに、点字鋲のカーペットよりの離反を長期間に渡って防止することのできる点字鋲を提供することを課題とするものである。
【０００８】
【課題を解決するための手段】
即ち、本発明は上記課題を解決するために、請求項１に記載のように、カーペット等の表面に突出可能に形成された鋲本体と、カーペット等に穿設された孔に挿入された脚体とからなる点字鋲であって、前記脚体には、カーペットの裏面側に設けられ、鋲本体の離脱を防止すべく、脚体に外嵌する筒状の嵌合部と、該嵌合部の固定された板状の抜止本体とからなる抜止体が設けられ、しかも該抜止体はアイオノマー樹脂で構成されるとともに、脚体に強制的に嵌入して係止すべく構成されていることを特徴とする。
【０００９】
【作用】
即ち、本発明は上記課題を解決するために、先ずカーペットに孔を連続して穿設し、その後カーペットに穿設された各孔に該カーペットの裏面側より筒状の嵌合部を挿入して抜止体を設置する。この状態で、カーペットの表面側より鋲本体を挿入し、該鋲本体の表面をハンマー等で殴打することで、脚体を嵌合部に強制的に挿入する。このようにして、連続して点字鋲を施工する。
【００１０】
即ち、カーペットの上部側の鋲本体をハンマー等で殴打するだけで、点字鋲を簡易に取り付けることができる。
【００１１】
また、抜止体がアイオノマー樹脂で構成されていることにより、従来の樹脂と比し硬質であるとともに、金属への安定した接着性があるために、鋲本体に衝撃があっても抜止体より脚体が離脱することなく係止することができることとなり、点字鋲としての耐久性、耐磨耗性の面はもとより、安全性の面においても優れた点字鋲として使用することができる。
【００１２】
【実施の態様】
以下、本発明の一実施例を図面に沿って説明する。図１（イ）、（ロ）は、本発明の点字鋲を示し、（イ）は鋲本体、（ロ）は抜止体を示す概略側面図であり、図２（イ）、（ロ）は、鋲本体を示し、（イ）は概略平面図、（ロ）は概略底面図であり、図３は、抜止体を示す概略平面図であり、図４はアイオノマーの構造を示す図である。
【００１３】
本発明の点字鋲１は、周縁部分２ａが外側下方に傾斜し、裏面中央部に円形の窪み２ｂの形成された略円形状の鋲本体２と、該鋲本体２の裏面略中央部に設けられ、先端部側にリング状の窪み３ａの形成された円柱状の脚体３と、該脚体３に強制嵌入してカーペットよりの離脱を防止するための抜止体４とから構成されている。
【００１４】
前記鋲本体２、及び脚体３は通常使用される金属で構成されている。
【００１５】
前記抜止体４は、孔４ａが穿設された筒状の嵌合部４ｂと、略円形板状の抜止本体４ｃとからなる。尚、孔４ａの下面側端部（抜止本体４ｃ側端部）は、孔４ａの径が拡径して形成され、前記脚体３の窪み３ａより先端部が当接し、該孔４ａよりの脚体３の離脱防止効果を有する。
【００１６】
前記抜止体４は、アイオノマー樹脂で構成されている。尚、アイオノマー樹脂はポリエチレンの分子鎖にカルボン酸基の側鎖があり、そのカルボン酸基の一部が金属陽イオンによって分子鎖間で架橋されている構造をもっております。この二つの構造上の特徴によって多くの優れた性質が生まれます。特に、金属イオンによる架橋結合は、一般に化学結合による架橋と異なって、熱によって結合力が変わり、加熱することにより結合力が弱くなり、冷却すると強くなる特徴があります。このため、従来の熱可塑性ポリウレタン樹脂、アクリル、ポリカーボネート等に比し耐久性に優れた樹脂であり、架橋の存在のために溶融時でも溶融強度、溶融延伸性といった点で低密度ポリエチレンより優れ、固化した状態ではイオン結合がさらに強くなるために、強靱性が大きくなります。
【００１７】
脚体３、及び嵌合部４ｂの長さは、取り付けるカーペットの厚さによりその長さが決定され、またカーペットに穿孔される孔の径によりその径が決定されるものである。
【００１８】
本発明の点字鋲１は上記のように構成され、次に該点字鋲１をカーペットに取り付ける場合について説明する。
【００１９】
上記点字鋲１を、カーペットに取り付ける際は、先ずカーペットの所定の位置に連続した取り付け用の孔を穿設する。その後、カーペットに穿孔された孔にカーぺットの裏面より抜止体４の嵌合部４ｂを挿入し、カーペットの表面より鋲本体２を設置する。この状態で上部より、即ち、鋲本体２の上よりハンマー等で殴打することで脚体３を嵌合部４ｂ内の孔４ａに強制的に嵌入する。これにより脚体３の窪み３ａより先端部が、孔４ａの拡径した部分に当接することとなるために、脚体３は確実に抜止体４に係止され、点字鋲１のカーペットよりの離脱を防止することができる。
【００２０】
さらに、抜止体４が、アイオノマー樹脂で構成されているために、従来の公知な樹脂に比し、その耐久性においても優れ、点字鋲１の長期間の使用を可能とする。
【００２１】
また、ハンマー等で殴打するのみで取り付けられるので、その取り付けは従来の点字鋲に比し作業時間をとらず短時間で容易に施工することができる。
【００２２】
尚、上記実施例では、脚体３の先端側に窪み３ａを形成したが、窪み３ａを形成することは必須の構成ではなく、脚体３を抜止体４の孔４ａに強制的に嵌入するだけで鋲本体２を係止することも可能である。
【００２３】
また、他の実施例として、脚体３を部分もアイオノマー樹脂で構成することも可能で或る。
【００２４】
【発明の効果】
従って、本発明によると、抜止体をアイオノマー樹脂で構成することにより、、従来の公知の樹脂に比し、その耐久性、耐磨耗性が優れ、点字鋲としての長期間の使用が可能になるという顕著な利点がある。
【００２５】
また、点字鋲の取り付けに特別な道具を必要とすることなく、ハンマー等の一般の道具で容易に取り付けすることができ、その取り付け作業に時間を要することなく取り付けすることができ、時間的効率を図ることができるという利点がある。
【００２６】
また、特別な技術を要することなく取り付けすることができる他、その離脱がない点字鋲として広く利用できるという利点がある。
【図面の簡単な説明】
【図１】（イ）、（ロ）は、本発明の点字鋲を示し、（イ）は鋲本体、（ロ）は抜止体を示す概略側面図である。
【図２】（イ）、（ロ）は、鋲本体を示し、（イ）は概略平面図、（ロ）は概略底面図である。
【図３】は、抜止体を示す概略平面図である。
【図４】は、アイオノマーの構造を示す図である。
【符号の説明】
１…点字鋲
２…鋲本体
３…脚体
４…抜止体
【図１】
2004027806.tif 000003
【図２】
2004027806.tif 000004
【図３】
2004027806.tif 000005
【図４】
2004027806.tif 000006